(57)【要約】【課題】パターンレイアウトの編集作業の効率を向上したＣＡＤシステム制御方法を提供する。【解決手段】ＣＡＤソフトＡでデータA1を編集している状態では、データA1に対応するデータB1をＣＡＤソフトＢにより編集不可能とする。共通するパターンレイアウトに対応するデータA1，B1を異なる複数のＣＡＤソフトＡ，Ｂで編集する際の各データ間での整合性を保持し、パターンレイアウトの編集作業の効率を向上できる。【選択図】図１
2007328407.tif 000002
【特許請求の範囲】
【請求項１】
共通するパターンレイアウトに対応するデータを編集可能で、かつ、機能が互いに異なる複数のパターンレイアウトソフトを有するパターンレイアウトシステムを制御するパターンレイアウトシステム制御方法であって、
一の前記パターンレイアウトソフトで一のデータを編集している状態では、他の前記パターンレイアウトソフトにより前記一のデータに対応する他のデータを編集不可能とする
ことを特徴としたパターンレイアウトシステム制御方法。
【請求項２】
一のパターンレイアウトソフトにより一のデータの編集を保存すると、この一のデータに対応する他のデータに前記編集を反映させて保存する
ことを特徴とした請求項１記載のパターンレイアウトシステム制御方法。
【請求項３】
共通するパターンレイアウトに対応するデータを編集可能で、かつ、機能が互いに異なる複数のパターンレイアウトソフトを有するパターンレイアウトシステムを制御するパターンレイアウトシステム制御装置であって、
一の前記パターンレイアウトソフトで一のデータを編集している状態では、他の前記パターンレイアウトソフトにより前記一のデータに対応する他のデータを編集不可能とする編集制御手段を備えた
ことを特徴としたパターンレイアウトシステム制御装置。
【請求項４】
一のパターンレイアウトソフトにより一のデータの編集を所定の記憶手段に保存すると、この一のデータに対応する他のデータに前記編集を反映させて所定の記憶手段に保存する保存制御手段と
を具備したことを特徴とした請求項３記載のパターンレイアウトシステム制御装置。
【請求項５】
共通するパターンレイアウトに対応するデータを編集可能で、かつ、機能が互いに異なる複数のパターンレイアウトソフトを有するパターンレイアウトシステムを制御するパターンレイアウトシステム制御プログラムであって、
一の前記パターンレイアウトソフトで一のデータを編集している状態では、他の前記パターンレイアウトソフトにより前記一のデータに対応する他のデータを編集不可能とするステップを備えた
ことを特徴としたパターンレイアウトシステム制御プログラム。
【請求項６】
一のパターンレイアウトソフトにより一のデータの編集を保存すると、この一のデータに対応する他のデータに前記編集を反映させて保存するステップを備えた
ことを特徴とした請求項５記載のパターンレイアウトシステム制御プログラム。
【請求項７】
請求項５または６記載のパターンレイアウトシステム制御プログラムが、コンピュータに読み取り可能に記録された
ことを特徴としたパターンレイアウトシステム制御プログラムを記録した媒体。
【発明の詳細な説明】
【技術分野】
【０００１】
本発明は、共通するパターンレイアウトに対応するデータを編集可能で、かつ、機能が互いに異なる複数のパターンレイアウトソフトを有するパターンレイアウトシステムを制御するパターンレイアウトシステム制御方法、その装置、そのプログラム、および、これを記録した媒体に関する。
【背景技術】
【０００２】
従来、液晶に代表されるフラットパネルディスプレイを用いた表示装置として、携帯電話、テレビジョン表示あるいはグラフィックスディスプレイなどを指向した大型で高密度のフラットパネルディスプレイ表示装置の開発が盛んである。このような表示装置は、アレイ基板上に所定の配線や機能を形成することによって製造される。
【０００３】
アレイ基板上の配線や各パターンを設計するためには、コンピュータ上のＣＡＤソフト上にパターンレイアウトとして描画することにより設計される。このパターンレイアウト作業では、アレイ基板上の各部分で最適なＣＡＤソフトを利用する。また、ＣＡＤソフト以外にも各種シミュレータを利用しながらパターンレイアウトを作製する作業が広く行われている。
【０００４】
そして、従来、このようなパターンレイアウト装置においては、互いに機能が異なる複数のＣＡＤソフトが利用されており、第１ＣＡＤソフトと第２ＣＡＤソフトとのデータを相互に変換する変換ソフトがさらに使用される。
【０００５】
すなわち、第１ＣＡＤソフト用のデータを編集すると、このデータは他の第１ＣＡＤソフトでは編集不可能となり、編集されたデータは新たなデータとして保存される。例えば、このデータをさらに第２ＣＡＤソフトで編集する場合には、変換ソフトによりデータを第２ＣＡＤソフト用のデータに変換する。第２ＣＡＤソフトでは、第１ＣＡＤソフトと同様に、データの編集中には他の第２ＣＡＤソフトによる編集を不可能とし、編集されたデータは新たなデータとして保存される。この保存されたデータは、変換ソフトを用いて再度第１ＣＡＤソフト用のデータとして変換される（例えば、特許文献１参照。）。
【特許文献１】特開２０００−１１４３８７号公報
【発明の開示】
【発明が解決しようとする課題】
【０００６】
しかしながら、上述のパターンレイアウトシステム制御方法では、第１ＣＡＤソフトでデータの編集をしている最中に、第２ＣＡＤソフトで、前記データに対応する第２ＣＡＤソフト用のデータを編集することが可能であるため、各データを保存しようとするとデータ間の整合性を保つことができないという問題点を有している。
【０００７】
そして、このようにデータ間の整合性を保つことができないと、編集する度に各データの確認が必要になり、確認作業に時間がかかるとともに、データの修正が必要となる場合もあるなど、作業効率の向上が容易でないという問題点を有している。
【０００８】
本発明は、このような点に鑑みなされたもので、パターンレイアウトの編集作業の効率を向上したパターンレイアウトシステム制御方法、その装置、そのプログラム、および、これを記録したコンピュータ読み取り可能な記憶媒体を提供することを目的とする。
【課題を解決するための手段】
【０００９】
本発明は、共通するパターンレイアウトに対応するデータを編集可能で、かつ、機能が互いに異なる複数のパターンレイアウトソフトを有するパターンレイアウトシステムを制御するパターンレイアウトシステム制御方法であって、一の前記パターンレイアウトソフトで一のデータを編集している状態では、他の前記パターンレイアウトソフトにより前記一のデータに対応する他のデータを編集不可能とするものである。
【００１０】
そして、一のパターンレイアウトソフトで一のデータを編集している状態では、他のパターンレイアウトソフトにより一のデータに対応する他のデータを編集不可能とする。
【発明の効果】
【００１１】
本発明によれば、共通するパターンレイアウトに対応するデータを異なる複数のパターンレイアウトソフトで編集する際の各データ間での整合性を保持し、パターンレイアウトの編集作業の効率を向上できる。
【発明を実施するための最良の形態】
【００１２】
以下、本発明の一実施の形態のパターンレイアウトシステム制御方法を、図面を参照して説明する。
【００１３】
このパターンレイアウトシステム制御方法は、コンピュータ１を用いて、例えば液晶表示装置などのフラットパネルディスプレイ表示装置のパターンレイアウト設計をするパターンレイアウトソフトとしてのＣＡＤソフト（以下、単にソフトという）を有するパターンレイアウトシステムとしてのＣＡＤシステムＳを制御するものであり、記憶手段としての図示しないデータベースと、ソフトによるデータ編集を制御する編集制御手段の機能と、ソフトによるデータ保存を制御する保存制御手段の機能を有する図示しないコンピュータに構成されたパターンレイアウトシステム制御装置としての管理システム上で実行されている。
【００１４】
ＣＡＤシステムＳは、コンピュータ１上に保存した位置座標ファイルと、入力手段としてのキーボード装置２およびマウス３などによりソフト上に描画されたパターンレイアウトとから、所定座標のパターンレイアウトを表示手段としてのモニタ４に表示する機能を有している。
【００１５】
そして、この管理システムは、互いに機能および保存形式などが異なる複数のソフトに対して適用可能であるが、以下、便宜的に２種類のソフトＡ，Ｂを用いた場合について説明し、これらソフトＡ，Ｂに対応するコンピュータ１をコンピュータ1A，1B、キーボード装置２をキーボード装置2A，2B、マウス３をマウス3A，3Bモニタ４をモニタ4A，4Bとする。なお、図２乃至図８中の丸番号は、各制御のステップ番号を表す。
【００１６】
図２に示すように、管理システムが起動すると、この管理システムは、各ソフトＡ，Ｂからの入力待ちとなる（ステップ１）。
【００１７】
そして、ステップ１において、管理システムの終了コマンドが入力された場合には、管理システムを終了する（ステップ２）。また、ステップ１において、ソフトＡ，Ｂからの編集処理（編集Ａ，Ｂ）とソフトＡ，Ｂからの保存処理（保存Ａ，Ｂ）とのいずれかが入力された場合には、それぞれソフトＡからの編集（ステップ３）、ソフトＢからの編集（ステップ４）、ソフトＡからの保存（ステップ５）、および、ソフトＢからの保存（ステップ６）のいずれかの処理をする。
【００１８】
なお、ステップ１において、入力コマンドがない場合には、ステップ１にて入力待ちを継続する。
【００１９】
ステップ３のソフトＡからの編集をする場合には、図３に示すように、まず、データベース内のソフトＡで編集するデータA1を検索し（ステップ11）、このデータA1が編集可能かどうかを確認する（ステップ12）。
【００２０】
このステップ12において、データA1が編集不可能であると判断した場合には、モニタ4A（図１）などにデータA1が編集不可能であることを表示し（ステップ13）、図２のステップ１に戻って入力待ちとなる。
【００２１】
一方、ステップ12において、データA1が編集可能であると判断した場合には、データベース内でデータA1に対応するソフトＢのデータB1を検索する（ステップ14）。
【００２２】
次いで、このデータB1が編集可能かどうかを確認し（ステップ15）、データB1が編集不可能であると判断した場合には、ステップ13に進むとともに、ステップ15においてデータB1が編集可能であると判断した場合には、このデータB1を編集不可能とし（ステップ16）、モニタ4A（図１）などにデータA1が編集可能であることを表示し（ステップ17）、図２のステップ１に戻って入力待ちとなる。
【００２３】
同様に、図２のステップ４のソフトＢからの編集をする場合には、図４に示すように、まず、データベース内のソフトＢで編集するデータB1を検索し（ステップ21）、このデータB1が編集可能かどうかを確認する（ステップ22）。
【００２４】
このステップ22において、データB1が編集不可能であると判断した場合には、モニタ4B（図１）などにデータB1が編集不可能であることを表示し（ステップ23）、図２のステップ１に戻って入力待ちとなる。
【００２５】
一方、ステップ22において、データB1が編集可能であると判断した場合には、データベース内でデータB1に対応するソフトＡのデータA1を検索する（ステップ24）。
【００２６】
次いで、このデータA1が編集可能かどうかを確認し（ステップ25）、データA1が編集不可能であると判断した場合には、ステップ23に進むとともに、ステップ25においてデータA1が編集可能であると判断した場合には、このデータA1を編集不可能とし（ステップ26）、モニタ4B（図１）などにデータB1が編集可能であることを表示し（ステップ27）、図２のステップ１に戻って入力待ちとなる。
【００２７】
なお、実際の編集作業は、各ソフトＡ，Ｂ上でそれぞれなされる。
【００２８】
さらに、図２のステップ５のソフトＡからの保存をする場合には、図５に示すように、まず、データベース内のデータA1を検索し（ステップ31）、このデータA1が編集不可能になっているかどうかを確認する（ステップ32）。
【００２９】
このステップ32において、データA1が編集不可能になっていないと判断した場合には、データの整合性の問題が生じているので、保存要求が実行できないことを例えばモニタ4A（図１）などに表示し（ステップ33）、図２のステップ１に戻る。
【００３０】
一方、ステップ32において、データA1が編集不可能になっていると判断した場合には、データベース内でデータA1に対応するソフトＢのデータB1を検索し（ステップ34）、データB1が編集可能になっているかどうかを確認する（ステップ35）。
【００３１】
このステップ35において、データB1が編集不可能になっていないと判断した場合には、データの整合性に問題が生じているので、ステップ33に進む。
【００３２】
一方、ステップ35において、データB1が編集不可能になっていると判断した場合には、データB1を編集可能とし（ステップ36）、保存要求が実行できることを例えばモニタ4A（図１）などに表示し（ステップ37）、データを保存するとともにデータのソフトＡからソフトＢへの変換をして（ステップ38）、図２のステップ１に戻る。
【００３３】
このステップ38について、より詳細に説明すると、図６に示すように、ソフトＡでの編集内容を反映させてデータA1をデータA2に変更してデータベースに保存し（ステップ41）、このデータA2を所定の保存制御手段としてのデータ変換ソフトS1により変換することでソフトＢ用のデータB1を、編集内容を反映させたデータB2に変更してデータベースに保存し（ステップ42）、保存を実行しデータ変換をしたことをモニタ4A（図１）、あるいはモニタ4B（図１）に表示し（ステップ43）、図２に示すステップ１に戻る。
【００３４】
一方、図２のステップ６のソフトＢからの保存をする場合には、図７に示すように、まず、データベース内のデータB1を検索し（ステップ51）、このデータB1が編集不可能になっているかどうかを確認する（ステップ52）。
【００３５】
このステップ52において、データB1が編集不可能になっていないと判断した場合には、データの整合性の問題が生じているので、保存要求が実行できないことを、例えば、モニタ4B（図１）などに表示し（ステップ53）、図２のステップ１に戻る。
【００３６】
一方、ステップ52において、データB1が編集不可能になっていると判断した場合には、データベース内でデータB1に対応するソフトＡのデータA1を検索し（ステップ54）、データA1が編集可能になっているかどうかを確認する（ステップ55）。
【００３７】
このステップ55において、データA1が編集不可能になっていないと判断した場合には、データの整合性に問題が生じているので、ステップ53に進む。
【００３８】
一方、ステップ55において、データA1が編集不可能になっていると判断した場合には、データA1を編集可能とし（ステップ56）、保存要求が実行できることを例えばモニタ4B（図１）などに表示し（ステップ57）、データを保存するとともにデータのソフトＢからソフトＡへの変換をして（ステップ58）、図２のステップ１に戻る。
【００３９】
このステップ58について、より詳細に説明すると、図８に示すように、ソフトＢでの編集内容を反映させてデータB1をデータB2に変更してデータベースに保存し（ステップ61）、このデータB2を所定の保存制御手段としてのデータ変換ソフトS2により変換することでソフトＡ用のデータA1を、編集内容を反映させたデータA2に変更してデータベースに保存し（ステップ62）、保存を実行しデータ変換をしたことをモニタ4B（図１）、あるいはモニタ4A（図１）に表示し（ステップ63）、図２に示すステップ１に戻る。
【００４０】
具体的に、図１を参照しながら上記一実施の形態の作用効果を説明する。
【００４１】
ソフトＡでソフトＡ用のデータA1を編集すると、このデータA1は編集不可能となり、これに連動してソフトＢ用のデータB1も編集不可能となる。
【００４２】
ソフトＡにより編集されたデータはデータA2としてデータベースに保存され、この保存されたデータA2は自動的にデータ変換ソフトS1によりソフトＢ用のデータB1を変更したデータB2に変換されてデータベースに保存される。
【００４３】
また、ソフトＢでデータB2を編集すると、データB2は編集不可能となり、これに連動してソフトＡ用のデータA2も編集不可能となる。
【００４４】
そして、ソフトＢにより編集されたデータは、データB3としてデータベースに保存され、この保存されたデータB3は自動的にデータ変換ソフトS2によりソフトＡ用のデータA2を変更したデータA3に変換されたデータベースに保存される。
【００４５】
すなわち、ソフトＡ、あるいは、ソフトＢによってデータを編集している状態では、この編集中に、このデータに対応するソフトＢ、あるいは、ソフトＡのデータも編集不可能とするため、ソフトＡ、あるいは、ソフトＢでデータを編集している最中に、他のソフトＢ、あるいは、ソフトＡでこのデータを編集することができないから、複数のソフトＡ，Ｂにより編集作業時に共通するパターンレイアウトに対応するデータに編集を加えることなどによるデータの不整合が発生することがなく、共通するパターンレイアウトに対応するデータを異なる複数のソフトＡ，Ｂで編集する際のデータ間での整合性を保持し、パターンレイアウトの編集作業の効率を向上できる。
【００４６】
具体的に、従来の方法では、編集する度に各データの確認が必要になり、この確認作業、データ変換作業および不整合データの修正作業などに、例えば約１０時間かかっていたのに対して、上記一実施の形態によれば、データ変換作業を全廃できるとともに、不整合データを撲滅できるので、全体として作業時間が約１／５に短縮され、かつ、設計ミスの低減をも達成でき、短期間に高精度なフラットパネルディスプレイ表示装置を得ることができることが分かった。
【００４７】
なお、上記各実施の形態において、データ変換ソフトS1，S2は、共通のデータ変換ソフトでもよい。
【００４８】
また、ＣＡＤシステムＳの構成などは、上記に限定されるものではない。
【００４９】
さらに、上記一実施の形態の動作をコンピュータ上で動作させるパターンレイアウトシステム制御プログラムとしてのＣＡＤシステム制御プログラムとしたり、このＣＡＤシステム制御プログラムを光ディスク、あるいは磁気ディスクその他の媒体にコンピュータ読み取り可能に記録し、コンピュータに自動的に動作させたりすることも可能である。
【図面の簡単な説明】
【００５０】
【図１】本発明の一実施の形態のパターンレイアウトシステム制御方法を示す説明図である。
【図２】同上パターンレイアウトシステム制御方法を示すフローチャートである。
【図３】同上パターンレイアウトシステム制御方法を示すフローチャートである。
【図４】同上パターンレイアウトシステム制御方法を示すフローチャートである。
【図５】同上パターンレイアウトシステム制御方法を示すフローチャートである。
【図６】同上パターンレイアウトシステム制御方法を示すフローチャートである。
【図７】同上パターンレイアウトシステム制御方法を示すフローチャートである。
【図８】同上パターンレイアウトシステム制御方法を示すフローチャートである。
【符号の説明】
【００５１】
Ｓ    パターンレイアウトシステムとしてのＣＡＤシステム
S1，S2    保存制御手段としてのデータ変換ソフト
【図１】
2007328407.tif 000003
【図２】
2007328407.tif 000004
【図３】
2007328407.tif 000005
【図４】
2007328407.tif 000006
【図５】
2007328407.tif 000007
【図６】
2007328407.tif 000008
【図７】
2007328407.tif 000009
【図８】
2007328407.tif 000010